(57)【要約】【課題】乗りかごとつり合いおもりとのすれ違いによって発生する空気流のロープ固定部材による乱流を低減することにある。【解決手段】乗りかご１やつり合いおもり１１の上下部にロー３，４を通過させるロープ通過口部６，３２を形成した整風装置本体２１，３１を設置するが、この整風装置本体のロープ通過口部にロープ３，４を両側から挟み込む一対の固定板２２−２２´，３２−３２´を嵌合し、乗りかごとつり合いおもりとのすれ違いによって発生する空気流をすれ違い面とは反対面側に下降傾斜する下降傾斜板体２１ｂ，３１ｂにそって流し、ロープ固定板の影響をなくするエレベータの空気整風装置である。【選択図】    図２
2004338879.tif 000002
【特許請求の範囲】
【請求項１】
乗りかごとつり合いおもりとのすれ違い時に発生する空気流を整風するエレベータの空気整風装置において、
前記乗りかご及びつり合いおもりの何れか一方又は両方の上下部に設けられ、前記乗りかご、つり合いおもりに接続されるロープの通過部分にロープ開口部が形成され、前記すれ違い時に発生する空気流を、前記すれ違い面側とは反対側の方向に流す整風装置本体と、
前記整風装置本体のロープ開口部に嵌合され、当該ロープ開口部を通過するロープを両側から挟み込む一対のロープ固定板体とを備えたことを特徴とするエレベータの空気整風装置。
【請求項２】
請求項１に記載のエレベータの空気整風装置において、
前記整風装置本体は、前記乗りかご、前記つり合いおもりのすれ違い面側が上下方向に突出させた突出板体と、この突出板体の頂部から前記すれ違い面側とは反対側の方向に所定角度又は所要の曲面形状をもって下降傾斜され、前記ロープ通過部分に前記ロープ開口部を形成した下降傾斜板体とで構成したことを特徴とするエレベータの空気整風装置。
【請求項３】
請求項１又は請求項２に記載のエレベータの空気整風装置において、
前記一対のロープ固定板体は、当該固定板体の面が前記下降傾斜板体とほぼ同一の面位置となるように前記ロープ開口部に嵌合したことを特徴とするエレベータの空気整風装置。
【請求項４】
請求項１又は請求項３に記載のエレベータの空気整風装置において、
前記一対のロープ固定板体は、前記ロープ開口部の少なくとも上辺面部及び下辺面部に対する面部側に弾性体を貼り付けたことを特徴とするエレベータの空気整風装置。
【請求項５】
請求項１又は請求項３に記載のエレベータの空気整風装置において、
前記一対のロープ固定板体は、前記ロープの振れによる外力を吸収する部材で形成されていることを特徴とするエレベータの空気整風装置。
【発明の詳細な説明】
【０００１】
【発明の属する技術分野】
本発明は、乗りかごとつり合いおもりとのすれ違い時に発生する空気流の影響を低減するエレベータの空気整風装置に関する。
【０００２】
【従来の技術】
近年、建物の高層化が益々進んでいるが、それに伴ってエレベータの高速化の要求も高まっている。
【０００３】
しかし、エレベータの高速化に伴い、さまざまな問題が生じている。例えばかご走行時、乗りかごとつり合いおもりとのすれ違い時に発生する空気流の影響を受け、乗りかごが振動したり、不快な騒音が発する問題がある。
【０００４】
そこで、従来、乗りかごの振動・騒音を極力低減するために、次のような対策技術が提案されている。
【０００５】
図６は乗りかごに適用した従来の空気整風装置を説明する構成図である。
【０００６】
同図において、１はエレベータ利用者を目的階に運ぶ乗りかご、２は乗りかご１の上部及び下部に設けられ、乗りかご１とつり合いおもり（図示せず）とのすれ違い時に発生する空気流を整風するかご整風装置である。
【０００７】
このかご整風装置２は、乗りかご１を吊下するメインロープ３又は乗りかご１の底部に接続されるコンペンロープ４の通過部分に相当する個所にロープ通過口部が形成されている。さらに、かご整風装置２のロープ通過口部を通過するメインロープ３やコンペンロープ４の導出経路上に、ロープ３，４を両側から挟み込んで固定する一対のロープ固定板５，５´が設けられている。
【０００８】
前記乗りかご１の上部に設置されるかご整風装置２は、図７に示すようにつり合いおもりとのすれ違い面側がほぼ垂直に突出された板体と、この突出板体の頂部からつり合いおもりのすれ違い面とは反対側方向に所定角度又は所要の曲面形状となるように下降傾斜され、この下降傾斜面にメインロープ３を通過させるロープ通過口部６が形成された下降傾斜板体とによって構成されている。一方、一対のロープ固定板５，５´は、複数本からなるメインロープ３を両側から挟み込み、図１０に示すごとくボルト・ナット７により固定されている。８，８´はロープ固定板５，５´に当たって流れる空気流、９はかご上部のかご支持枠、１０はスプリングである。
【０００９】
次に、図８はつり合いおもりに従来の整風装置を適用した構成図である。
【００１０】
同図において、１１は乗りかご１との重量バランスをとるつり合いおもりであって、巻上機（図示せず）に掛け渡されたメインロープ３の一端側に乗りかご１が吊下され、他端側につり合いおもり１１が吊下されている。このつり合いおもり１１の上部及び下部には乗りかご１と同様におもり整風装置１２が取り付けられている。さらに、おもり整風装置１２のロープ通過口部を通過するメインロープ３やコンペンロープ４の導出経路上に、ロープ３，４を両側から挟み込んで固定する一対のロープ固定板１３，１３´が設けられている。
【００１１】
このおもり整風装置１２は、具体的には、図９に示すように、つり合いおもり１１の上下部に取り付けられ、乗りかご１とのすれ違い面側がつり合いおもり１１とほぼ同一面となるように突出された板体と、この突出板体の頂部から乗りかご１とのすれ違い面側とは反対側方向に所定角度又は所要の曲面形状となるように下降傾斜され、この下降傾斜面にロープ３，４を通過させるロープ通過口部１４が形成された下降傾斜板体とにより構成されている。１５，１５´はロープ固定板１３，１３´に当たって流れる空気流、１６はつり合いおもり上部のおもり支持枠、１７はスプリングである。
【００１２】
従って、以上のように乗りかご１の上下部にかご整風装置２、つり合いおもり１１の上下部におもり整風装置１２を取り付ける場合、他の機器との干渉やスペース等の制約から、整風装置２，１２内にロープ固定板５，５´、１３，１３´が収納できない場合が多く、結局、整風装置２，１２の外部に突出させた状態でロープ固定板５，５´、１３，１３´が取り付けられている。
【００１３】
【発明が解決しようとする課題】
従って、以上のようにエレベータの空気整風装置では、複数本からなるメインロープ３、コンペンロープ４を固定するロープ固定板５，５´、１３，１３´の取り付けは、上下方向に延在する各ロープ３，４に対し、ほぼ直交するごとく水平に突出させた状態でロープ固定板５−５´、１３−１３´を取り付けることから、乗りかご１とつり合いおもり１１とのすれ違い時に発生する空気流が一対のロープ固定板５−５´、１３−１３´に直接当たり、振動、騒音等の発生原因となっている。また、ロープ固定板５−５´、１３−１３´は、振動、騒音等の発生原因だけでなく、展望用エレベータの場合には外観上、見栄えが悪いなどの問題がある。
【００１４】
本発明は上記事情に鑑みてなされたもので、ロープ固定板との一体化を図り、乗りかごとつり合いおもりとのすれ違い時に発生する空気流がロープ固定板に影響されないようにし、よって振動・騒音を低減化するエレベータの空気整風装置を提供できる。
【００１５】
【課題を解決するための手段】
上記課題を解決するために、本発明に係るエレベータの空気整風装置は、乗りかご及びつり合いおもりの何れか一方又は両方の上下部に設けられ、乗りかご、つり合いおもりに接続されるロープの通過部分にロープ通過口部が形成され、すれ違い時に発生する空気流を、すれ違い面側とは反対側の方向に流す整風装置本体と、この整風装置本体のロープ通過口部に嵌合され、当該ロープ通過口部を通過するロープを両側から挟み込む一対のロープ固定板体とを設けた構成である。
【００１６】
この発明は以上のような構成とすることにより、整風装置本体のロープ通過口部にロープを両側から挟み込む一対のロープ固定板体を嵌め込む構成としたので、従来のように乗りかごとつり合いおもりとのすれ違い時に発生する空気流がロープ固定板体に当たって乱流を発生する問題がなくなり、ひいては振動・騒音を低減化することが可能となる。
【００１７】
なお、前記整風装置本体としては、乗りかご、つり合いおもりのすれ違い面側が上下方向に突出させた突出板体と、この突出板体の頂部から前記すれ違い面側とは反対側の方向に所定角度又は所要の曲面形状をもって下降傾斜され、ロープ通過部分にロープ開口部を形成した下降傾斜板体とで構成すれば、乗りかごとつり合いおもりとのすれ違い時に発生する空気流が下降傾斜板体及び一対のロープ固定板体上面をにそって流れるので、乗りかごとつり合いおもりとの間に入り込む空気量が少なくなり、その大半が乗りかごとつり合いおもりとの外側に振分けられるので、益々乗りかごの振動を低減でき、またロープ固定板体にぶつかる空気流の騒音も低減することが可能となる。
【００１８】
さらに、前記一対のロープ固定板体としては、当該固定板体の面が下降傾斜板体とほぼ同一の面位置となるようにロープ開口部に嵌合するので、乗りかごとつり合いおもりとのすれ違い時に発生する空気流がロープ固定板体に影響されずに下降傾斜板体にそって流すことが可能となる。
【００１９】
さらに、一対のロープ固定板体としては、ロープ開口部の少なくとも上辺面部及び下辺面部に対する面部側に弾性体を貼り付けるか、或いはロープ固定板体全体をロープの振れによる外力を吸収する部材で形成すれば、ロープの振れによる振動を含む外力を吸収するので、整風装置本体，ひいては乗りかごやつり合いおもりに伝達されないので、益々振動を低減化できる。
【００２０】
【発明の実施の形態】
以下、本発明の実施の形態について図面を参照して説明する。
【００２１】
（第１の実施の形態）
図１及び図２は乗りかごに本発明に係るエレベータの空気整風装置の一実施の形態を適用した図であって、図１は乗りかごを含む整風装置の外観斜視図、図２は図１に示す整風装置の具体的な構成図である。なお、これらの図において、前述する図６及び図７と同一部分には同一符号を付して説明する。
【００２２】
これらの図において、１はエレベータ利用者を目的階に運ぶ乗りかごであって、この乗りかご１の上部及び下部にかご整風装置が設けられている。
【００２３】
このかご用整風装置は、乗りかご１を吊下する少なくとも１本以上のメインロープ３や乗りかご１の下部からつり合いおもりの底部に接続される少なくとも１本以上のコンペンロープ３の通過部分にロープ通過口部６を形成され、乗りかご１が乗りかご昇降時やつり合いおもりのすれ違い時に発生する空気流を当該つり合いおもり側とは反対側に導くように作用するかご整風装置本体２１と、図２に示すように当該ロープ通過口部６に嵌合可能に設けられ、ロープ通過口部６を通過するロープ例えば４を両側から挟み込むとともにロープ通過口部６を閉塞するための一対のロープ固定板２２，２２´とにより構成されている。
【００２４】
前記かご整風装置本体２１は、具体的には、図２に示すようにつり合いおもりとのすれ違い面側が少なくとも上方にほぼ垂直に突出する突出板体２１ａと、この突出板体２１ａの頂部からつり合いおもりとのすれ違い面とは反対側方向に所定角度又は曲面形状をもって下降傾斜する下降傾斜板体２１ｂとを有し、さらに必要に応じて突出板体２１ａ及び下降傾斜板体２１ｂで形成される空間部両側面側に不要な空気流が入り込まないように閉塞されている。そして、下降傾斜板体２１ｂのロープ通過口部周辺相当の裏面側には断面Ｌ字状の固定板抱き込み部材２１ｃが取り付けられている。この固定板抱き込み部材２１ｃは、下降傾斜板体２１ｂに形成されるロープ通過口部のうち、少なくとも上辺面周縁部側と下辺面周縁部側に取り付けられるが、ロープ通過口部周縁部全周にわたって下降傾斜板体２１ｂの裏面側に設けてもよい。
【００２５】
前記一対のロープ固定板２２，２２´は、その上面が下降傾斜板体２１ｂとほぼ同一面となるように嵌合され、各ロープ固定板２２，２２´の対峙面側には、通過するロープ３，４の本数に応じた半円状や半楕円状のロープ挿通孔が形成され、さらに少なくともロープ固定板２２の少なくとも上辺面部側に弾性体２３、下傾斜面側に位置するロープ固定板２２´の少なくとも下辺面部にも同様に弾性体２３´が貼り付けられている。
【００２６】
なお、一対のロープ固定板２２，２２´の対峙面側を除く各周辺面部に弾性体２３、２３´を貼り付けた構成であってもよい。
【００２７】
なお、弾性体２３、２３´はロープ３，４の振動を吸収する機能をものであるが、例えば弾性体２３、２３´なしでロープ固定板２２，２２´全体を例えば木製片、ゴム、樹脂、或いはスポンジ等のごとき外力を吸収する部材を用いてもよい。
【００２８】
同中、２４はつり合いおもりのすれ違い時に発生する空気流、２５はかご上部のかご支持枠、２６はスプリングである。
【００２９】
従って、以上のような実施の形態によれば、つり合いおもりのすれ違い面と反対方向に下降傾斜する下降傾斜板体２１ａを設けているので、つり合いおもりとのすれ違い時に発生する空気流２４が乗りかごのすれ違い面と反対側である下降傾斜板体２１ａにそってかご外に流れるので、従来のように一対のロープ固定板が直接空気流を受けることがなくなり、よって空気流２４が乱れることがなくなり、つり合いおもりとのすれ違い時の振動・騒音を低減化することができる。
【００３０】
また、一対のロープ固定板２２，２２´は、その上面が下降傾斜板体２１ｂとほぼ同一面となるように取り付けることにより、従来のようにロープ固定板による影響が全くなくなる。
【００３１】
さらに、一対のロープ固定板２２，２２´に周面部分に弾性体２３，２３´を貼り付けるとか、或いは一対のロープ固定板２２，２２´全体を木製片、ゴム、樹脂、或いはスポンジ等のごとき外力を吸収する部材を用いれば、ロープ４，５の振動によって外力が加わった場合であっても、ロープ振動によるこすれ音を小さくできる。
【００３２】
さらに、展望用エレベータの場合でも、外観上、美観を損なうことがなくなる。
【００３３】
（第２の実施の形態）
図３及び図４はつり合いおもりに本発明に係るエレベータの空気整風装置の一実施の形態を適用した図であって、図３はつり合いおもりを含む整風装置の外観斜視図、図４は図３に示す整風装置の具体的な構成図である。なお、これらの図において、前述する図８及び図９と同一部分には同一符号を付して説明する。
【００３４】
これらの図において、１１は乗りかご１との重量バランスをとるつり合いおもりであって、巻上機（図示せず）に掛け渡されたメインロープ３の一端側に乗りかご１が吊下され、他端側につり合いおもり１１が吊下されている。このつり合いおもり１１の上部及び下部にも乗りかご１と同様におもり整風装置が取り付けられている。
【００３５】
このおもり整風装置は、具体的には、図４に示すように、つり合いおもり１１の上下部に取り付けられ、つり合いおもり１１がつり合いおもり昇降時や乗りかご１のすれ違い時に発生する空気流を当該乗りかご１側とは反対側方向に導くように作用するおもり整風装置本体３１と、このおもり整風装置本体３１のうち、つり合いおもり１１を吊下する少なくとも１本以上のメインロープ３やつり合いおもり１１の下部から乗りかご１の底部に接続される少なくとも１本以上のコンペンロープ４の通過部分にロープ通過口部１４を形成するとともに、図４に示すように当該ロープ通過口部１４に嵌着可能に設けられ、ロープ通過口部１４を通過するロープ例えば３を両側から挟み込むとともにロープ通過口部１４を閉塞するための一対のロープ固定板３２，３２´とにより構成されている。
【００３６】
前記おもり整風装置本体３１は、具体的には、図４に示すように乗りかご１とのすれ違い面側がやつり合いおもり１１の面とほぼ同一面となるように上方にほぼ垂直に突出されている突出板体３１ａと、この突出板体３１ａの頂部から乗りかご１とは反対側方向に所定角度又は曲面形状をもって下降傾斜する下降傾斜板体３１ｂとを有し、さらに必要に応じて突出板体３１ａ及び下降傾斜板体３１ｂで形成される空間の両側面側に不要な空気流が入り込まないように閉塞されている。
【００３７】
前記一対のロープ固定板３２，３２´は、下降傾斜板体３１ｂのロープ通過口部にゴムやスポンジ等の弾性体３３、３３´を介在させ、かつ、ロープ固定板上面が下降傾斜板体３１ｂとほぼ同一面となるように嵌合し、内部に空気が進入しない構成となっている。各ロープ固定板３２，３２´の対峙面側には、通過するロープ３，４の本数に応じた半円状や半楕円状のロープ貫通孔が形成され、具体的には図５に示すように各ロープ固定板３２，３２´の対峙面側には円形又は楕円形を有する傾斜のロープ貫通孔が形成されている。
【００３８】
なお、一対のロープ固定板３２，３２´は、下降傾斜板体３１ｂに図２と同様な取り付け手段で取り付けてもよい。また、弾性体３３、３３´は、ロープ３，４の振動を吸収する機能をものであるが、例えば弾性体３３、３３´なしでロープ固定板３２，３２´全体を例えば木製片、ゴム、樹脂、或いはスポンジ等のごとき外力を吸収する部材を用いてもよい。
【００３９】
同中、３４は乗りかご１のすれ違い時に発生する空気流、３５はおもり支持枠、３６はスプリングである。
【００４０】
従って、以上のような実施の形態によれば、乗りかごのすれ違い面と反対方向に下降傾斜する下降傾斜板体３１ａを設けているので、乗りかご１とのすれ違い時に発生する空気流３４が乗りかごのすれ違い面と反対側方向に延在する下降傾斜板体３１ａにそっておもり外に流れるので、従来のように一対のロープ固定板が直接空気流を受けることがなくなり、よって空気流３４の乱れがなくなり、乗りかごとのすれ違い時に生じる振動・騒音を低減化できる。
【００４１】
また、一対のロープ固定板３２，３２´は、その上面が下降傾斜板体３１ｂとほぼ同一面となるように取り付けるので、従来のようにロープ固定板による乱流の影響が全くなくなる。
【００４２】
さらに、一対のロープ固定板４２，２２´に周面部分に弾性体４３，４３´を貼り付けるとか、或いは一対のロープ固定板３２，３２´全体を木製片、ゴム、樹脂、或いはスポンジ等のごとき外力を吸収する部材を用いれば、ロープ３，４の振動によって外力が加わった場合であっても、ロープ振動によるこすれ音を小さくできる。
【００４３】
さらに、展望用エレベータの場合でも、外観上、美観を損なうことがなくなる。
【００４４】
なお、本願発明は、上記実施の形態に限定されるものでなく、その要旨を逸脱しない範囲で種々変形して実施できる。
【００４５】
また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【００４６】
【発明の効果】
以上説明したように本発明によれば、ロープ固定板を一体に組み込むことにより、乗りかごとつり合いおもりとのすれ違い時にロープ固定板による空気の乱流を抑制でき、よって振動・騒音を低減化できるエレベータの空気整風装置を提供できる。
【図面の簡単な説明】
【図１】乗りかごに本発明に係るエレベータの空気整風装置を適用した外観斜視図。
【図２】図１に示す整風装置の一例を示す詳細構成図。
【図３】つり合いおもりに本発明に係るエレベータの空気整風装置を適用した外観斜視図。
【図４】図３に示す整風装置の一例を示す詳細構成図。
【図５】図４に示す一対のロープ固定板を示す図。
【図６】乗りかごに従来のエレベータの空気整風装置を適用した外観斜視図。
【図７】図６に示す整風装置の詳細構成図。
【図８】つり合いおもりに従来のエレベータの空気整風装置を適用した外観斜視図。
【図９】図８に示す整風装置を示す詳細構成図。
【図１０】一対のロープ固定板を示す図。
【符号の説明】
１…乗りかご、２…かご整風装置本体、３…メインロープ、４…コンペンロープ、１１…つり合いおもり、２１ａ，３１ａ…突出板体、２１ｂ，３１ｂ…下降傾斜板体、２１ｃ…固定板抱き込み部材、２２，２２´，３２，３２´…ロープ固定板、２３，２３´，３３，３３´…弾性体、２４，３４…空気流、２５，３５…かご支持枠、３１…おもり整風装置本体。
【図１】
2004338879.tif 000003
【図２】
2004338879.tif 000004
【図３】
2004338879.tif 000005
【図４】
2004338879.tif 000006
【図５】
2004338879.tif 000007
【図６】
2004338879.tif 000008
【図７】
2004338879.tif 000009
【図８】
2004338879.tif 000010
【図９】
2004338879.tif 000011
【図１０】
2004338879.tif 000012